(57)【特許請求の範囲】
【請求項１】
左右一対の縦材と両縦材の上端部をつなぐ横材とからなる足場用建枠の前後に対向する両横材間に足場板を架け渡すと共に両縦材間にブレスを掛張して組み立てられる枠組足場の組立に使用する安全手摺であって、
両足場用建枠の対向する両縦材間に配置される手摺本体と、手摺本体の幅方向中央部に設けられ、両足場用建枠の縦材間に掛張されたブレスの交差部に対し係脱自在な手摺本体仮置き手段と、手摺本体の両側端部に取り付けられ、足場用建枠の横材に対し係脱自在な係止フックと、手摺本体の両側端部に設けられ、手摺本体を足場用建枠の縦材に沿って案内するガイド手段と、からなる安全手摺。
【請求項２】
手摺本体仮置き手段は、手摺本体の下端部に枢着され、前記ブレスの交差部に係止する係止位置とその交差部から脱離してブレスと干渉しない外側へ退避する退避位置との間で回動自在なフック部材と、下端部がフック部材に連動連結されて上下に揺動自在な操作部材とからなり、前記フック部材が係止位置にある状態で操作部材の上端部を手摺本体の上部側に保持することによってフック部材を係止位置にロックし、この状態から操作部材上端部の保持を解除して操作部材を持ち上げることにより、係止部材が退避位置へ回動してフック部材がロック解除されるようにした請求項１に記載の安全手摺。
【請求項３】
前記ガイド手段は、手摺本体の側端部の上下複数箇所にブラケットを突設し、各ブラケットに、足場用建枠の縦材を内外両側から挟持するような内外一対のガイド板を取り付けると共に、両ガイド板のうち少なくとも内側のガイド板は足場用建枠の横材を乗り越えるように回転羽根形のガイド板とし、両ガイド板の間には前記縦材の側面に転接又は摺接する可能な駒片を取り付けたものからなる請求項１又は２に記載の安全手摺。
【請求項４】
前記手摺本体は幅方向に伸縮自在に構成されてなる請求項１又は２に記載の安全手摺。
【発明の詳細な説明】
【０００１】
【発明の属する技術分野】
本発明は、建設作業現場において、左右一対の縦材と両縦材の上端部をつなぐ横材とからなる足場用建枠の前後に対向する両横材間に足場板を架け渡すと共に両縦材間にブレスを掛張して組み立てられる枠組足場の組立時に使用する安全手摺に関する。
【０００２】
【従来の技術及びその課題】
枠組足場は、左右一対の縦材と両縦材の上端部をつなぐ横材とからなる門形の足場用建枠を前後に一定間隔おきに対向配置して、両足場用建枠の対向する両縦材間にブレスを掛張し、両横材間に足場板を架け渡しつつ、足場用建枠を上方に継ぎ足して、順次多段状に足場を組み立ててゆくわけであるが、下段側足場用建枠の横材間に足場板を架け渡した後、足場用建枠を継ぎ足して上段側足場を組み立てる際には、その組立作業に先立って作業用の安全手摺を設置し、足場組立作業の安全を図っている。
【０００３】
【発明が解決しようとする課題】
従来にあっては、予め所要形状に枠組み形成された安全手摺を、下段側足場用建枠の縦材にパイプクランプ等で取り付け、上段側足場の組立が終われば、その手摺を取り外して、更にその上の段の足場用建枠の縦材に付け換えるようにしている。しかしながら、従来の安全手摺は、各段の足場を組み立てる毎に安全手摺を足場用建枠から完全に切り離して付け替えを行う必要があるため、その付け替え作業に非常に手間がかかって、足場の組立作業能率が低下する上に、安全手摺の付け替え時にその安全手摺を落下させる危険性があった。
【０００４】
本発明は、上記の問題に鑑み、付け替え作業を容易且つ安全に行える安全手摺を提供することを目的とする。
【０００５】
【課題を解決するための手段】
請求項１に係る発明の安全手摺は、左右一対の縦材１，１と両縦材１，１の上端部をつなぐ横材２とからなる足場用建枠４，４の前後に対向する両横材２，２間に足場板６を架け渡すと共に両縦材１，１間にブレス５，５を掛張して組み立てられる枠組足場の組立に使用する安全手摺Ｔであって、両足場用建枠４，４の対向する両縦材１，１間に配置される手摺本体７と、手摺本体７の幅方向中央部に設けられ、両足場用建枠４，４の縦材１，１間に掛張されたブレス５，５の交差部５ｏに対し係脱自在な手摺本体仮置き手段８と、手摺本体７の両側端部に取り付けられ、足場用建枠４の横材２に対し係脱自在な係止フック９と、手摺本体７の両側端部に設けられ、手摺本体７を足場用建枠４の縦材１に沿って案内するガイド手段１０と、からなることを特徴とする。
【０００６】
請求項２は、請求項１に記載の安全手摺において、手摺本体仮置き手段８は、手摺本体７の下端部に枢着され、前記ブレス５，５の交差部５ｏに係止する係止位置とその交差部から脱離してブレス５と干渉しない外側へ退避する退避位置との間で回動自在なフック部材３１と、下端部がフック部材３１に連動連結されて上下に揺動自在な操作部材３２とからなり、前記フック部材３１が係止位置にある状態で操作部材３２の上端部を手摺本体７の上部側に保持することによってフック部材３１を係止位置にロックし、この状態から操作部材３２上端部の保持を解除して操作部材３２を持ち上げることにより、係止部材８が退避位置へ回動してフック部材３１がロック解除されるようにしたことを特徴とする。
【０００７】
請求項３は、請求項１又は２に記載の安全手摺において、前記ガイド手段１０は、手摺本体７の側端部の上下複数箇所にブラケット３９を突設し、各ブラケット３９に、足場用建枠４の縦材１を内外両側から挟持するような内外一対のガイド板４１，４２を取り付けると共に、両ガイド板４１，４２のうち少なくとも内側のガイド板４１は足場用建枠４の横材２を乗り越えるように回転羽根形のガイド板とし、両ガイド板４１，４２の間には前記縦材１の側面に転接又は摺接する可能な駒片４０を取り付けたものからなることを特徴とする。
【０００８】
請求項４は、請求項１又は２に記載の安全手摺において、前記手摺本体７は幅方向に伸縮自在に構成されてなることを特徴とする。
【０００９】
【発明の実施の形態】
以下に、本発明に係る安全手摺の一実施形態について、図１〜図１６を参照して説明する。図１は、図１２以降に斜視図で示される安全手摺Ｔの正面図で、この安全手摺Ｔの各部の詳細構造を図２〜図１１に示す。
【００１０】
この安全手摺Ｔは、図１、図１２〜図１６に示すように両足場用建枠４，４の対向する両縦材１，１間に配置される矩形枠状の手摺本体７と、この手摺本体７の幅方向中央部に設けられ、両足場用建枠４，４の縦材１，１間に襷掛け状に掛張されたブレス５，５の交差部５ｏに対し係脱自在な手摺本体仮置き手段８と、手摺本体７の両側端部に夫々取り付けられ、足場用建枠４の横材２に対し係脱自在な係止フック９と、手摺本体７の両側端部夫々設けられていて、この手摺本体７を足場用建枠４の縦材１に沿って案内するガイド手段１０、とからなるもので、手摺本体７は下記のように幅方向に伸縮できるように構成されている。
【００１１】
手摺本体７は、図１に示すように、夫々縦桟１２ａと上下複数の横桟１２ｂ，１２ｃ，１２ｄ，１２ｅと横向きＶ字状の補強桟１２ｆとからなる両側一対の半割体１２，１２を、接続部材１３，１４，１５を介して手摺本体幅方向に伸縮自在に接続してなるものである。接続部材１３は、図６及び図７に示すように、各半割体１２の横桟１２ｂ，１２ｃにスライド自在に外嵌される上下の接続管１６，１７とこれらをつなぐ連結杆１８とでＨ字状に形成されたもので、各接続管１６，１７の夫々両端部に貫設された長孔１９と、この長孔１９から各横桟１２ｂ，１２ｃの端部に貫設されたボルト孔（図示省略）に挿通されて締結されるボルト・ナット２０とを利用して、両半割体１２，１２の横桟１２ｂ，１２ｂ及び１２ｃ，１２ｃどうしを伸縮自在に接合するようになっている。図６の（ａ）  は両半割体１２，１２が伸張した状態の正面図、（ｂ）  は平面図、（ｃ）  は斜視図であり、図６の（ａ）  ′は両半割体１２，１２が収縮した状態での正面図、（ｂ）  ′は平面図、（ｃ）  ′は斜視図である。
【００１２】
接続部材１４は、図８に示すように、両端部１４ａ，１４ａが断面コ字状で、その中間部が断面略Ｉ字状に形成されていて、その一端側コ字状部１４ａを一方の半割体１２の横桟１２ｄ先端部に嵌合して溶接等で固着し、他端側コ字状部１４ａを他方の半割体１２の横桟１２ｄ先端部にスライド自在に嵌合すると共に、当該コ字状部１４ａから横桟１２ｄ側の収縮用ねじ孔２１又は収縮用ねじ孔２２に蝶ボルト２３を螺入することによって、伸縮自在に接合するようにしている。図８の（ｄ）  は両半割体１２，１２が収縮した状態の斜視図、（ｄ）  ′は両半割体１２，１２が伸張した状態の斜視図である。
【００１３】
接続部材１５は、図９に示すように、単一の円管からなるもので、その両端部を両半割体１２，１２の横桟１２ｅ，１２ｅに嵌合し、前記接続部材１３と同様にこの接続部材１５の両端部に夫々貫設された長孔と、その長孔から各横桟１２ｅの端部に貫設されたボルト孔（図示省略）に挿通されて締結されるボルト・ナット２４とを利用して、両半割体１２，１２の横桟１２ｅ，１２ｅどうしを伸縮自在に接合するようになっている。
【００１４】
手摺本体７の両側端部に夫々取り付けられる係止フック９は、周知構造のもので、図１〜図３から分かるように、足場用建枠４の横材２に対し上方から嵌脱自在なフック本体９ａと、このフック本体９ａに、ピンＰ１，Ｐ２によって、横材２をフック本体９ａと共に抱持するロック位置と横材２を解放するロック解除位置との間でスライド自在に取り付けられたロック部材９ｂとからなり、常時は自重でロック位置に保持される。この係止フック９のフック本体９ａは、手摺本体７の各半割体１２を形成する縦桟１２ａに回転自在で軸方向スライド自在に嵌合されたリング部材２５に固着される。リング部材２５は、その下端部の係合凹部２５ａが縦桟１２ａの中間高さ位置にあるストッパーピン２６に係合することによって回転不能に保持されると共に、その位置で挿抜自在な固定ピン２７によってスライド不能に固定され、そして更に固定ボルト２８によって固定される。
【００１５】
上記固定ピン２７は、径太の線材で略Ｌ字状に形成されたもので、リング部材２５の係合凹部２５ａがストッパーピン２６に係合した位置で、先端係止部２７ａが縦桟１２ａの係止孔２９に係止し得るようにバネ３０によって付勢されている。図２の（ａ）  及び図３の（ａ）  は、係止フック９を足場用建枠４の横材２に係止可能な位置に固定した状態を示す。この状態から、固定ピン２７を引っ張り抜き、固定ボルト２８を緩め、リング部材２５を上方へスライドさせてストッパーピン２６から離脱させた後、このリング部材２５を手摺本体７側へ退避するように例えば９０°回転させた状態を図３の（ｂ）  に示す。この時、リング部材２５の係合凹部２５ａが、縦桟１２ａの係止孔２９に係止している固定ピン２７の先端部に係合することにより、係止フック９は退避位置に保持される。
【００１６】
手摺本体仮置き手段８は、図１、図７、図９〜図１１に示すように、手摺本体７の下端部に位置する接続部材１５に枢着されていて（図９参照）、両足場用建枠４，４の縦材１，１間に掛張されたブレス５，５の交差部５ｏ（図１２参照）に係止する係止位置（図１１の（ａ）  参照）とその交差部５ｏから脱離してブレス５，５と干渉しない外側へ退避する退避位置（図１１（ｂ）  参照）との間で回動自在なフック部材３１と、下端部がフック部材３１に連動連結されて上下に揺動自在な操作部材３２と、からなるもので、フック部材３１が係止位置にある状態で操作部材３２の上端部を手摺本体７の上部側に保持することによってフック部材３１を係止位置にロックし、この状態から操作部材３２上端部の保持を解除して操作部材３２を持ち上げることにより、係止部材８が退避位置へ回動してフック部材３１がロック解除されるようになっている。
【００１７】
上記フック部材３１は、金属板により側面視略倒Ｌ字状に形成されたもので、その一端部（下端部）が前記接続部材１５に突設されたブラケット３３に枢軸３４にて枢着され、他端部（上端部）が操作部材３２の下端部に枢着されている。操作部材３２は、金属線材を両縦軸材３２ａ，３２ａと上横軸材３２ｂと下横軸材３２ｃとからなる縦長矩形枠状に形成したものからなり、この操作部材３２の下横軸材３２ｃはフック部材３１の上端部に枢着され、上横軸材３２ｂは、前記接続部材１３の下部接続管１６に固着してある平面視コ字形ブラケット３５の両側板３５ａ，３５ａに貫設された円弧状ガイド溝Ｇにスライド自在に挿通支持されている。図１０から分かるように、両縦軸材３２ａ，３２ａの上下両端部が夫々間隔保持材３６によって保持されている。
【００１８】
図１０の（ａ）  及び図１１の（ａ）  はフック部材３１がブレス５，５の交差部５ｏに係止して係止位置にある状態の手摺本体仮置き手段８を示す斜視図及び側面図である。この時、操作部材３２は、図１１の（ａ）  から分かるようにブレス５，５の内側（足場の内方側）に位置し、その上横軸材３２ｂが円弧状ガイド溝Ｇの内方端部に係止されて固定ピン３７で固定され、それによってフック部材３１は係止位置にロックされ、この状態を図７の（ｂ）  に詳細に示す。
【００１９】
このようにフック部材３１が係止位置にロックされた状態から、操作部材３２を上部側の間隔保持材３６を掴んでブレス５，５の外側（足場の外方側）へ押し出すようにして持ち上げることにより、両縦軸材３２ａ，３２ａが上動しながら外方へ平行に移動し、それによりフック部材３１が枢軸３４を中心に外向きに回動してブレス５，５の交差部５ｏから脱離し、ブレス５，５の外側へ退避する。この状態を図１０の（ｂ）  及び図１１の（ｂ）  に示す。この時、上横軸材３２ｂはガイド溝Ｇに沿ってスライドして外方端部に係止され、固定ピン３７で固定され、それによってフック部材３１は退避位置にロックされ、この状態を図７の（ｂ）  ′に詳細に示す。また、こうしてフック部材３１が退避位置にロックされた状態から、そのロックを解除して操作部材３２をブレス５，５の内側（足場の内方側）へ押すように引き下げることにより、両縦軸材３２ａ，３２ａが下動しながら内方へ平行に移動し、それによりフック部材３１が枢軸３４を中心に内向きに回動してブレス５，５の交差部５ｏに係止することになる。
【００２０】
操作部材３２の上横軸材３２ｂを円弧状ガイド溝Ｇの内方端部又は外方端部に固定してフック部材３１を係止位置又は退避位置にロックする固定ピン３７は、図７に示すように、径太の線材で略Ｌ字状に形成されたもので、前記コ字形ブラケット３５に回転自在に貫通支持されると共に、先端係止部３７ａが円弧状ガイド溝Ｇの内方端部側係合部ｇ１又は外方端部側係合部ｇ２に突入するようにバネ３８で付勢されている。図７の（ｂ）  は、円弧状ガイド溝Ｇの内方端部に係止された操作部材３２の上横軸材３２ｂを、このガイド溝Ｇの内方端部側係合部ｇ１に突入させた固定ピン３７の先端係止部３７ａによって固定した状態を示す。操作部材３２の上横軸材３２ｂをガイド溝Ｇの外方端部に固定する時は、バネ３８に抗して固定ピン３７の先端係止部３７ａをガイド溝Ｇの係合部ｇ１から抜き出し、この固定ピン３７を回転させて、先端係止部３７ａをガイド溝Ｇの外方端部側係合部ｇ２に突入させればよく、この状態を図７の（ｂ）  ′に示す。
【００２１】
手摺本体７を足場用建枠４の縦材１に沿って案内するガイド手段１０は、図１、図４及び図５から分かるように、手摺本体７の各半割体１２を形成する縦桟１２ａの高さ方向中間部と下端部との２箇所にブラケット３９を突設し、各ブラケット３９に、足場用建枠４の縦材１を内外両側から挟持するような内外一対の回転羽根形のガイド板４１，４２を軸４３により回転自在に取り付けると共に、両ガイド板４１，４２の間に前記縦材１の側面に沿って転接可能な駒片４０を軸４４で回転自在に取り付け取り付けてなるもので、手摺本体７を両足場用建枠４，４の対向する縦材１，１間でスライドさせる時に、内外一対の回転羽根形ガイド板４１，４２が縦材１に係合した状態でスライドしつつ、駒片４０がその縦材１に転接しながら、手摺本体７を案内するようになっている。
【００２２】
この場合、内外両回転羽根形ガイド板４１，４２のうち内側ガイド板４１は、手摺本体７のスライド中に足場用建枠４の横材２（縦材１の内側に位置する）に当たることによって回転するから、この横材２に邪魔されることなく縦材１に沿ってスライドすることができる。外側のガイド板４２は、手摺本体７のスライド中に横材２に当たることはないから、回転羽根形に形成しなくてもよい。
【００２３】
次に、上記のように構成される安全手摺Ｔを使用して枠組足場を組み立てる組立方法について、図１２〜図１６を中心に他の図も適宜に参照して説明する。
【００２４】
先ず、図１２に示すように、一対の足場用建枠４，４を前後に対向配置して、両足場用建枠４，４の対向する縦材１，１間にブレス５，５を掛張し、両横材２，２間に足場板６を架け渡すことによって、１段目足場を組み立て、この足場に本発明に係る安全手摺Ｔを２段目足場の組立に先行して設置する。
【００２５】
即ち、この安全手摺Ｔの設置にあたっては、図６〜図９を参照すれば分かるように、接続部材１３，１４，１５のボルト・ナット２０、蝶ボルト２３及びボルト・ナット２４を夫々緩め、手摺本体７を形成する両半割体１２，１２を若干縮めた状態で、手摺本体７を両足場用建枠４の対向する縦材１，１間に挿入すると共に、各ガイド手段１０を縦材１に係合させ、そして手摺本体仮置き手段８のフック部材３１を操作部材３２により前記１段目足場のブレス５，５の交差部５ｏに係止して手摺本体７を当該交差部５ｏにあずけ、更に各係止フック９を各足場用建枠４の横材２に係止させ（図１１（ａ）  参照）、しかる後に両半割体１２，１２を伸ばして接続部材１３，１４，１５のボルト・ナット２０、蝶ボルト２３及びボルト・ナット２４を適宜に締め付け、斯くして安全手摺Ｔを２段目足場の組立に先行して図１２に示すように１段目足場に設置する。この安全手摺Ｔの設置に際して、上記のように手摺本体７の幅を適宜縮めるようにすることによって、縦材１，１間への手摺本体７の挿入作業が容易となる。この手摺本体７を取り外す場合も同様である。
【００２６】
尚、図１２には、図面の表示が複雑となる関係上、安全手摺Ｔを１段目足場の手前側にのみ設置した状態を示しているが、実際には当該足場の奥側にも同様に設置する。これは、以下に説明する図１３〜図１６についても同様である。
【００２７】
上記のようにして１段目（最下段）の足場に図１２に示すような安全手摺Ｔを設置することによって、２段目足場の組立作業、即ち１段目の足場用建枠４に２段目の足場用建枠４を継ぎ足す作業、この継ぎ足した両足場用建枠４の縦材１，１間にブレス５，５を掛張する作業、及び横材２，２間に足場板６を架け渡す作業を夫々安全に行うことができる。このような２段目足場の組立作業が終了した状態を図１３に示す。
【００２８】
２段目足場の組立作業を終えたならば、係止フック９を図３の（ａ）  に示す状態に固定している固定ピン２７を引き抜き、固定ボルト２８を緩め、リング部材２５を上方へスライドさせてストッパーピン２６から離脱させた後、このリング部材２５を手摺本体７側へ退避するように回転させて、係止フック９を図３の（ｂ）に示す状態とし、更に図７を参照すれば分かるように、手摺本体仮置き手段８の固定ピン３７を抜いて操作部材３２上端部の保持を解除し、操作部材３２によりフック部材３１をブレス５，５の交差部５ｏから脱離させてブレス５，５と干渉しない外側へ退避させ、それによって手摺本体仮置き手段８を図１０の（ｂ）  及び図１１の（ｂ）  に示す状態とする。
【００２９】
斯かる状態で、手摺本体７をガイド手段１０により両足場用建枠４，４の縦材１，１に沿って案内しながら図１４〜図１５に示すようにして上方へ引き上げ、しかして手摺本体仮置き手段８のフック部材３１を２段目足場のブレス５，５の交差部５ｏに係止して手摺本体７を当該交差部５ｏにあずけ、各係止フック９を２段目足場用建枠４の横材２に係止して、図１６に示すような状態とする。この手摺本体７を下段側足場から上段側足場へ引き上げる際には、この手摺本体７の両側端部がガイド手段１０によって両足場用建枠４，４の縦材１，１に保持された状態で案内されるから、手摺本体７の引き上げ作業をスムーズに安定良く行うことができる。上記のようにして安全手摺Ｔを３段目足場の組立に先行して２段目足場に設置した後に、３段目足場の組立作業を行う。以降は、上述した作業と同様な作業を繰り返し行い、各段毎に上段側足場の組立に先行してその下段側足場に安全手摺Ｔを設置しながら、順次多段状に足場を組み立ててゆく。
【００３０】
以上の説明から分かるように、上段側足場の組立に先行して下段側足場に安全手摺Ｔを設置しながら漸次上段へ足場を組み立てるようにすれば、各段の組立作業が終わって、上段側足場作業用安全手摺Ｔの付け替え作業を行う際に、安全手摺Ｔを足場用建枠４から取り外す必要がなく、両足場用建枠４，４の縦材１，１に沿って案内しながら所要長さずつ引き上げるようにするだけでよいから、安全手摺Ｔの付け替え作業を楽に行えると共に、その安全手摺Ｔを誤って落下させるおそれがなく、作業の安全性を確保できる。
【００３１】
【発明の効果】
請求項１に係る発明の安全手摺は、両足場用建枠の対向する両縦材間に配置される手摺本体と、手摺本体の幅方向中央部に設けられ、両足場用建枠の縦材間に掛張されたブレスの交差部に対し係脱自在な手摺本体仮置き手段と、手摺本体の両側端部に取り付けられ、足場用建枠の横材に対し係脱自在な係止フックと、手摺本体の両側端部に設けられ、手摺本体を足場用建枠の縦材に沿って案内するガイド手段とからなるもので、上段側足場の組立に先立って下段側足場に安全手摺を設置しながら足場を組み立ててゆけば、下段側足場から上段側足場への安全手摺の付け替え作業を行う際に、その安全手摺を足場用建枠から一々取り外す必要がなく、手摺本体をガイド手段により両足場用建枠の縦材に沿って案内しつつ所要長さずつ引き上げるだけでよいから、その付け替え作業を楽に行えると共に、安全手摺を誤って落下させるおそれがなく、作業の安全性を確保できる。
【００３２】
この安全手摺の手摺本体仮置き手段を請求項２に記載のような構成にすれば、手摺本体を下段側から上段側へ引き上げる際に、手摺本体仮置き手段がブレスに引っ掛かることがなく、安全手摺の設置作業、即ち付け替え作業を迅速容易に行うことができる。
【００３３】
また、この安全手摺のガイド手段を、請求項３に記載のような構成にすれば、手摺本体を下段側から上段側へ引き上げる際に、このガイド手段の一部が足場用建枠の横材に引っ掛からず、手摺本体をスムーズに安定状態で上方へスライドさせることができる。
【００３４】
請求項４に記載のように、手摺本体を幅方向に伸縮自在に構成すれば、最初に手摺本体を足場用建枠の対向する縦材間に挿入する際の挿入作業が容易となり、また足場の組立を終えて手摺本体を縦材間から取り外す際の取り外しも容易となる。
【図面の簡単な説明】
【図１】本発明に係る安全手摺の正面図である。
【図２】（ａ）  は図１の矢印Ａで示される部分の拡大図、（ｂ）  はその平面図、（ｃ）  は右側面図である。
【図３】図２の（ａ）  に示される部分の斜視図で、（ａ）  は係止フックが使用位置にある状態を示し、（ｂ）  は係止フックが非使用位置に退避した状態を示している。
【図４】（ａ）  は図１の矢印Ｂで示される部分の拡大図、（ｂ）  はその平面図、（ｃ）  は左側面図である。
【図５】図４の（ａ）  に示されるガイド手段の斜視図である。
【図６】図１の矢印Ｃで示される部分の拡大図で、（ａ）  は両半割体が伸張した状態の正面図、（ｂ）  は平面図、（ｃ）  は斜視図であり、（ａ）  ′は両半割体が収縮した状態での正面図、（ｂ）  ′は平面図、（ｃ）  ′は斜視図である。
【図７】図１の矢印のＤ示される部分の拡大図で、（ａ）  は正面図、（ｂ）  は、円弧状ガイド溝の内方端部に係止された操作部材の上横軸材を固定ピンで固定した状態を示し、（ｂ）  は上横軸材を固定ピンで円弧状ガイド溝の外方端部に固定した状態を示す。
【図８】図１の矢印のＥ示される部分の拡大図で、（ａ）  は正面図、（ｂ）  は平面図、（ｃ）  は右側面図、（ｄ）  は両半割体が収縮した状態の斜視図、（ｄ）  ′は両半割体が伸張した状態の斜視図である。
【図９】図１の矢印のＦ示される部分の拡大図で、（ａ）  は正面図、（ｂ）  はフック部材が係止位置にある状態を示し、（ｂ）  ′はフック部材が係止位置から退避位置へ退避した状態を示す。
【図１０】手摺本体仮置き手段を示す斜視図で、（ａ）  はフック部材が係止位置にある状態を示し、（ｂ）  はフック部材が退避位置にある状態を示す。
【図１１】手摺本体仮置き手段を示す側面図で、（ａ）  はフック部材が係止位置にある状態を示し、（ｂ）  はフック部材が退避位置にある状態を示す。
【図１２】１段目足場に安全手摺を設置した状態を示す斜視図である。
【図１３】安全手摺を設置した状態で２段目足場を組み立てた状態を示す斜視図である。
【図１４】安全手摺を２段目足場側へ引き上げている状態を示す斜視図である。
【図１５】安全手摺を２段目足場側へ引き上げ終えた状態を示す斜視図である。
【図１６】２段目足場側へ引き上げ終えた安全手摺を固定した状態を示す斜視図である。
【符号の説明】
１            足場用建枠の縦材
２            足場用建枠の横材
４            足場用建枠
５            ブレス
５ｏ          ブレスの交差部
６            足場板
７            手摺本体
８            手摺本体仮置き手段
９            係止フック
１２          手摺本体の半割体
１０          ガイド手段
３１          フック部材
３２          操作部材
４０          駒片
４１，４２    ガイド板
【図１】
0003564398.tif 000002
【図２】
0003564398.tif 000003
【図３】
0003564398.tif 000004
【図４】
0003564398.tif 000005
【図５】
0003564398.tif 000006
【図６】
0003564398.tif 000007
【図７】
0003564398.tif 000008
【図８】
0003564398.tif 000009
【図９】
0003564398.tif 000010
【図１０】
0003564398.tif 000011
【図１１】
0003564398.tif 000012
【図１２】
0003564398.tif 000013
【図１３】
0003564398.tif 000014
【図１４】
0003564398.tif 000015
【図１５】
0003564398.tif 000016
【図１６】
0003564398.tif 000017